(57)【特許請求の範囲】
【請求項１】
外装材と下地との間の通気穴の外部に取り付けられる通気水切であって、
傾斜した水切片の一端部に嵌合凸部が形成され前記水切片の他端部の内側に開閉弁が形成された水切カバーと、
前記嵌合凸部と嵌合する嵌合凹部が形成され、前記嵌合凹部の下方に前記通気穴と連通する通気孔が形成され、下端に前記開閉弁を受ける弁受部が形成された取付基材と、
前記取付基材の前記通気孔の上方に係止される第一係止部と前記取付基材の前記弁受部の上部に係止される第二係止部と前記水切カバーの内側に係止される第三係止部とが形成され前記通気孔と前記水切カバーとを所定間隔離隔させるブラケットと、
を有することを特徴とする通気水切。
【発明の詳細な説明】
【技術分野】
【０００１】
本発明は、バルコニー等の腰壁に取り付けられた通気水切に関する。
【背景技術】
【０００２】
建物の劣化対策等級を高めるには、屋根扱いとなるバルコニー（屋上を含む）に何らかの小屋換気設備を必要とする。多少の漏水リスクを含む方法であれば、換気ガラリや笠木裏側で換気をとることも可能であるが、長期耐久性を視野に、漏水リスクを限りなくゼロに近づけるには、高次元の止水換気装置が必要であった。それに相当する従来の技術は、独立した換気口をバルコニー近傍の壁面に設けることで意匠性に影響を与える、突起が避けられないことから足掛かりになる、壁体内に納まり交換が困難である、高価である、という側面を有していた。
【０００３】
建物において、外壁材と下地との間には壁体内への水の侵入を防止する水切り構造が設けられる。水切り構造として一般的なものは、外壁材と下地との間から外部へ突出した水切り板金を設けるが、この水切り板金は風雨にさらされて劣化する。このため、水切りが劣化した際に取り替えができるように、取り外し可能にした構造がある（例えば、特許文献１〜４参照）。取り外しの際、従来は板金状の水切り板の端部を変形させて、水切り板固定部から取り外していた。
【０００４】
また、水切りを設置する外壁材と下地との空間に通気穴を形成し、通気性能を持たせた通気水切がある（例えば、特許文献２〜６参照）。このような通気水切は通気性能を有する点で優れるが、雨水の吹き込み等により通気穴から雨水が侵入するといった問題がある。このため、通気穴から雨水を侵入させないように通気穴に弁を取り付けたものがある（例えば、特許文献５〜６参照）。
【先行技術文献】
【特許文献】
【０００５】
【特許文献１】実開平０２−１２５１０４
【特許文献２】実開平０５−０５７１１８
【特許文献３】特開２００４−３００８７３
【特許文献４】特開２００８−１４４５１５
【特許文献５】特開平１１−１２４９１９
【特許文献６】特開２０００−２２０２２７
【発明の概要】
【発明が解決しようとする課題】
【０００６】
しかしながら、特許文献１、２ではバネ系止体（取付金具）を通りよくかつ、各個ビスで取り付けることを要し、組立作業が手間となる問題があった。特許文献３、４では通気の為には水切り本体及び固定基体に通気穴を設けることを要し、それぞれについて、一般にプレス金型等の設備を要することになり、通気穴を開ける加工により製作が容易に出来ない問題があった。また、特許文献５、６については、耐久性の観点から開閉弁は容易に交換し得ることが望ましい。
【０００７】
本発明は、メンテナンスが容易で且つ風雨が強い場合において雨水の侵入を防止する通気水切を提供することを目的とする。
【課題を解決するための手段】
【０００８】
上記目的を達成するための本発明の代表的な構成は、
外装材と下地との間の通気穴の外部に取り付けられる通気水切であって、
傾斜した水切片の一端部に嵌合凸部が形成され前記水切片の他端部の内側に開閉弁が形成された水切カバーと、
前記嵌合凸部と嵌合する嵌合凹部が形成され、前記嵌合凹部の下方に前記通気穴と連通する通気孔が形成され、下端に前記開閉弁を受ける弁受部が形成された取付基材と、
前記取付基材の前記通気孔の上方に係止される第一係止部と前記取付基材の前記弁受部の上部に係止される第二係止部と前記水切カバーの内側に係止される第三係止部とが形成され前記通気孔と前記水切カバーとを所定間隔離隔させるブラケットと、
を有することを特徴とする。
【発明の効果】
【０００９】
上述の構成とすることで、水切カバーと取付基材はブラケットを介して係止して取り付ける構成であるため、組立が容易となり、かつ必ずしも水切カバーに通気孔を開ける作業を要さないので製作が容易となる。また、風雨が強い場合において通気通路を閉鎖し得る開閉弁は、取り外しし得る水切カバーに設置する構成であるため、開閉弁の交換が容易になし得る。
【図面の簡単な説明】
【００１０】
【図１】通気水切の全体構成を示す断面図。
【図２】通気水切の全体構成を示す斜視図。
【図３】通気水切の各部構成を示す断面図。
【図４】通気水切の取付構成を示す斜視図。
【図５】通気水切の開閉弁の動作を示す断面図。
【発明を実施するための形態】
【００１１】
図を用いて本願発明の実施形態を説明する。
【００１２】
（通気水切１の概略構成）
まず、通気水切１の概略構成及び周辺構成を説明する。図１は通気水切の全体構成を示す断面図であり、（ａ）が建物のうち通気水切を取り付ける場所を示す概略図、（ｂ）が通気水切の全体断面図である。図２は通気水切の全体構成を示す斜視図である。
【００１３】
図１（ａ）に示すように、通気水切１は、例えば、建物２の小屋裏５上部のバルコニー３の外壁４内部に設けると好適である。通気水切１が通気性を有することで、雨水の侵入を防止しつつ、バルコニー３から小屋裏５に空気を取り入れることができる。尚、通気水切１の設置場所はこの場所に限るものではない。
【００１４】
図１（ｂ）及び図２に示すように、通気水切１は、腰壁６と下地７との間に形成される通気穴８に取り付けられる。通気水切１は、雨水を通気穴８から遠ざけるように、外部下方に傾斜した水切片１１が形成される水切カバー１０と、風が吹き込むと閉まる開閉弁１２を有する。この構成により、通気水切１の内部への雨水の侵入を防ぐ。また、通気水切１は、壁面に取り付けるための取付基材２０を有する。取付基材２０は下地７の上に載置される載置部２０ａと、腰壁６の方向に立ち上がる腰壁６内に固定される板状部２０ｂとを一体的に有する。
【００１５】
尚、本実施形態の通気穴８は、図１（ｂ）に示すように、通気層８ａの最下端に位置し水平方向に延びる長穴である。通気層８ａは、外装材６ａの裏面方向に形成される空間である。通気層８ａは、外装材６ａの裏面の防水シート６ｂと防水層７ｂとの間に形成される。
【００１６】
通気水切１は、腰壁６と下地７とに渡り取り付く。ここで、腰壁６と下地７の構成を説明する。腰壁６は、最外層を形成する外装材６ａと、防水性を有する防水シート６ｂと、外装材下地６ｃと、通気水切１を取り付けるための取付下地６ｄと、を有する。一方、下地７は、スラグ石膏板等で構成された立ち上がり壁７ａの外部及び上部にＦＲＰ等による防水層７ｂを形成した構造である。
【００１７】
尚、外装材下地６ｃとしては、好ましくは例えば特開２０００−１６０７３２号公報に記載のパネル部材と同様の構成を備えるものがよい。当該パネル部材では、間隔をおいて平行に配置された複数の表側帯状小幅板と、間隔をおいて平行に配置された複数の裏側帯状小幅板とを互いに交差させた状態で接合一体化してなる壁下地パネルが用いられている。このような壁下地パネルは、各帯状小幅板間の間隔部分を経て空気を上昇させることにより十分な通気を確保することが可能な通気層を、外壁仕上げ材の背面側に形成することができ、また相反する方向に傾斜させた各帯状小幅板を筋交いのように機能させて、構造用耐力部材としての所望の強度が得られるようになっている。当該パネルを設けることによって、図１（ｂ）に示すように通気層８ａを形成することができる。
【００１８】
ここで、通気層８ａの形成方法はこのようなパネルを用いるものに限らない。例えば、その他の通気層８ａの形成方法として、前記防水層７ｂの裏面に合板又は火山性ガラス質複層板等の耐力面材を配置し、防水層７ｂと外装材６ａの間に縦胴縁を用いて通気層８ａを確保してもよい。
【００１９】
この構成により通気水切１は、取付基材２０の載置部２０ａが下地７上に載置され、その下方が固定される。また、通気水切１は、腰壁６の防水シート６ｂと外装材下地６ｃとの間に取付基材２０の板状部２０ｂが挟み込まれ、その水平方向が固定される。尚、腰壁６の外装材６ａは、取付基材２０の外装材受部２０ｃに載置される。
【００２０】
（通気水切１の詳細構成）
図３を用いて通気水切１の詳細構成を説明する。図３は通気水切の各部構成を示す断面図であり、（ａ）は通気水切１の完成図、（ｂ）は通気水切１を各部に分解した図である。
【００２１】
図３（ａ）に示すように、通気水切１は、雨水の侵入を防ぐ水切カバー１０と、壁面に取り付けるための取付基材２０と、水切カバー１０と取付基材２０とを連結し通気孔２２と水切カバー１０とを所定間隔離隔させるためのブラケット３０から構成される。水切カバー１０、取付基材２０、ブラケット３０はアルミニウム等、軽量で、風雨に強く、劣化しにくい材料であることが望ましい。
【００２２】
図３（ｂ）に示すように、水切カバー１０は、下に行くに連れて内側から外側方向に傾斜した水切片１１を有する。
【００２３】
また、水切片１１の上端である一端部に嵌合凸部１３が形成され、水切片１１の下端である他端部の内側に開閉弁１２が形成される。開閉弁１２の弁部１２ａは樹脂の押出成形等により作られ、そのヒンジ部１２ｂは軟質樹脂によって作られることが望ましい。この構造によって、弁部１２ａの開閉が行われる。開閉動作については後述する。
【００２４】
水切カバー１０は、水切片１１の内側中央部にブラケット係止部１４を有し、ブラケット３０に対して係止される構造を有する。また、水切片１１の内側上部に下方に開口した部材保持部１５を有する。部材保持部１５には、例えば、通気水切１を防火仕様にするときに、不燃性体積膨張材を挿入することができる。
【００２５】
取付基材２０は、腰壁６と下地７に水切カバー１０を取り付けるための部材であり、上述のように、載置部２０ａ、板状部２０ｂ、外装材受部２０ｃを有する。
【００２６】
取付基材２０には、外装材受部２０ｃの付け根部分の反対面には嵌合凸部１３と嵌合する嵌合凹部２１が形成される。嵌合凹部２１下方に腰壁６に形成される通気穴８と連通する通気孔２２が形成される。通気孔２２は縦長等に開口した複数のスリット孔とすることが好ましい（図４参照）。これは、長手方向の全てを開口としてしまうと、ネズミ等の小動物が侵入するため、これを防止するためである。
【００２７】
取付基材２０の下端には開閉弁１２の弁部１２ａを受ける弁受部２３が形成される。また、ブラケット３０を取り付けるために、通気孔２２の上方に第一ブラケット係止部２４が形成され、通気孔２２の下方で弁受部２３の上部には第二ブラケット係止部２５が形成される。
【００２８】
尚、載置部２０ａの下面には水密材４１が配設される。水密材４１は下地７に当接し、通気水切１と下地７との取り合いから内部への水の侵入を防ぐ。水密材４１の材質としては透水性を有する半独立発泡のＥＰＤＭ発泡体等が好ましい。
【００２９】
ブラケット３０は、その断面が傾斜して前方に張り出す張出部３０ａと、張出部前端から垂下する垂下部３０ｂと、他部材との係合や弁に当接する作用部３０ｃとから構成される。ブラケット３０は他部材と連結するための部材であるため、複数の爪状の係止部が形成される。
【００３０】
ブラケット３０は通気水切１の長手方向に複数配設固定される。１つのブラケット３０は係止部を少なくとも３つ有する。まず、それぞれ、取付基材２０の第一ブラケット係止部２４及び第二ブラケット係止部２５に対して係止される、第一係止部３１と第二係止部３２とを有する。第一係止部３１はブラケット３０の後方（図中左側方向）上部に形成され、第二係止部３２はブラケット３０の前方（図中右側方向）下部に形成される。また、水切カバー１０のブラケット係止部１４に対して係止される第三係止部３３を有する。第三係止部３３は、ブラケット３０の前方で且つ上方に突出するように形成される。
【００３１】
また、張出部３０ａ上面に、上方に開口したクッション材保持部３４を有する。クッション材保持部３４は、クッション材４２を保持する。そして、クッション材４２は水切カバー１０に圧接される。即ち、図３（ａ）に示すように、ブラケット３０は水切カバー１０との間のクッション材４２を介して圧接される。このようにブラケット３０にクッション材４２があることにより、水切カバー１０のがたつきや横ずれを防止することができる。
【００３２】
張出部３０ａの下部には、下方に開口した部材保持部３５を有する。部材保持部３５には、例えば通気水切１を防火仕様にする際に不燃性体積膨張材を挿入する。
【００３３】
作用部３０ｃの下端には、取付基材２０の弁受部２３に当接するストッパー３６が形成される。ストッパー３６は弁受部２３よりも通気水切１の通気通路Ｗ内部側に突出しているため、開閉弁１２の通気通路Ｗ内部への入り込みを防止することができる。
【００３４】
（通気水切１の組立）
図４を用いて通気水切１の組立について説明する。図４は通気水切の取付構成を示す斜視図であり、（ａ）が取付基材２０にブラケット３０を取り付けた状態、（ｂ）がブラケット３０に水切カバー１０を取り付けた状態である。
【００３５】
通気水切１を組立てる際は、まず図４（ａ）に示すように、取付基材２０に対して複数のブラケット３０を所定間隔で取付ける。次に図４（ｂ）に示すように、全てのブラケット３０に対して水切カバー１０を取付ける。
【００３６】
具体的には、図４に示すように、まず、取付基材２０の第一ブラケット係止部２４と第二ブラケット係止部２５に対して、それぞれブラケット３０の第一係止部３１と第二係止部３２とを係止する。次に図４（ｂ）に示すように、水切カバー１０の嵌合凸部１３を取付基材２０の嵌合凹部２１に嵌入して水切カバー１０の上部を回動可能に保持し、次に水切カバー１０のブラケット係止部１４をブラケット３０の第三係止部３３と係止させる。これにより通気水切１の組立て作業が完了する。水切カバー１０の交換の際は、水切カバー１０の動作を逆にすればよい。
【００３７】
このように、通気水切１は、取付基材２０に対してブラケット３０を係止によって固定している。このため、容易に取り付けや交換をすることができる。また、通気水切１の長手方向の複数箇所に分けてブラケット３０が取り付くため、通気通路Ｗを長手方向にわたって塞ぐことがなく、空気の通りを維持することができる。
【００３８】
また、水切カバー１０は、通気孔２２の上下に係止されるブラケット３０を介して取付基材２０に取り付く。このため、取付基材２０の通気孔２２を塞ぐ位置に取付部材等を配設する必要がない。このため、通気孔２２を塞ぐことなく、水切カバー１０を取付基材２０に取り付けることができる。
【００３９】
また、通気水切１の外観を形成する水切カバー１０は、取付基材２０及びブラケット３０に対して着脱可能に構成される。このように着脱可能に構成し、交換が可能な構成とすると、経年劣化や衝撃等により水切カバー１０が傷んだ場合、新しいものと容易に交換することができる。このため、外観に優れる通気水切１とすることができる。
【００４０】
また、開閉弁１２は、その交換が容易となるように、水切カバー１０に取り付けられる。
【００４１】
（開閉弁１２の動作）
図５を用いて開閉弁１２の動作について説明する。図５は通気水切の開閉弁の動作を示す断面図であり、（ａ）が弁が開いた状態、（ｂ）が弁が閉じた状態を示す。
【００４２】
図５（ａ）に示すように、風が強くない通常時は開閉弁１２が開いた状態になっている。図５（ｂ）に示すように、風が強くなると、風によって開閉弁１２のヒンジ部１２ｂを回動軸として弁部１２ａが押し上げられる。押し上げられた弁部１２ａは、取付基材２０の弁受部２３に当接することで通気通路Ｗの開口を閉鎖する。また、取付基材２０の弁受部２３の前方には、前方下方に突出するブラケット３０のストッパー３６がある。この構成により、更に風が強くなったときでも、ストッパー３６が弁部１２ａの上昇を押さえるため、弁部１２ａがめくり上がって通気通路Ｗに入ってしまうことがない。
【００４３】
尚、従来のように外装材と下地との間にある通気穴に対して、通気穴とほぼ同じ位置に開閉弁がある構成においては、強風が下地に当たって跳ね返り、開閉弁を開放させる方向に圧力が生じることがある。すると、開閉弁が強風にもかかわらず閉じないこともあり得る。これを解決するため本実施形態では、水切片１１の下端内部の開閉弁１２を通気通路Ｗ側に持ち出すことで、風を受けやすくする構成とした。これにより、開閉弁１２が風を受けて円滑に閉じることができる。また、開閉弁１２の先端を下方に傾斜させて持ち出すことが排水の都合上好ましい。
【００４４】
また、本実施形態のように、通気通路Ｗを弁部１２ａと弁受部２３とがある位置で閉鎖しうる。このため、雨水の侵入する位置を通気通路Ｗの入り口に設けることができることとなる。すると、通気孔２２と通気通路Ｗの入り口との距離を多く取ることができるため、雨水が通気通路Ｗから入って通気孔２２にまで到達する可能性を低くすることができる。この結果、雨水の通気孔２２への侵入を更に防止することができる。
【００４５】
通気水切が設置される位置は屋上へ用いることもあり、漏水リスクが非常に高い部位である。本実施形態においては、水切カバー１０によって水を切り、開閉弁１２によって止水を行い、防水層７ｂの存在によって水を返し、重力によって水をそぐというように技術的な工夫をこらした。本実施形態では、これら雨仕舞の基本要素が渾然一体となるディテールを構築した。
【００４６】
上述のように、水切カバーと取付基材はブラケットを介して係止して取り付ける構成であるため、組立が容易となり、かつ必ずしも水切カバーに通気孔を開ける作業を要さないので製作が容易となる。また、風雨が強い場合において通気通路を閉鎖し得る開閉弁は、取り外しし得る水切カバーに設置する構成であるため、開閉弁の交換が容易になし得る。
【産業上の利用可能性】
【００４７】
本発明は、建物の取り付けられた通気水切に利用することが出来る。
【符号の説明】
【００４８】
Ｗ…通気通路、１…通気水切、２…建物、３…バルコニー、４…外壁、５…小屋裏、６…腰壁、６ａ…外装材、６ｂ…防水シート、６ｃ…外装材下地、６ｄ…取付下地、７…下地、７ａ…壁、７ｂ…防水層、８…通気穴、８ａ…通気層、１０…水切カバー、１１…水切片、１２…開閉弁、１２ａ…弁部、１２ｂ…ヒンジ部、１３…嵌合凸部、１４…ブラケット係止部、１５…部材保持部、２０…取付基材、２０ａ…載置部、２０ｂ…板状部、２０ｃ…外装材受部、２１…嵌合凹部、２２…通気孔、２３…弁受部、２４…第一ブラケット係止部、２５…第二ブラケット係止部、３０…ブラケット、３０ａ…張出部、３０ｂ…垂下部、３０ｃ…作用部、３１…第一係止部、３２…第二係止部、３３…第三係止部、３４…クッション材保持部、３５…部材保持部、３６…ストッパー、４１…水密材、４２…クッション材
【図１】
0005475549.tif 000002
【図２】
0005475549.tif 000003
【図３】
0005475549.tif 000004
【図４】
0005475549.tif 000005
【図５】
0005475549.tif 000006